(57)【要約】【課題】ＨＤ入力→ＨＤ出力とＳＤ入力→アップコンバート→ＨＤ出力間の遅延差をなくし、しかもハードウェアの軽減も図り得る映像送出装置を提供する。【解決手段】映像送出装置１にＨＤ映像入力部１１を設け、ＨＤ映像信号のフレームディレイ及び切り替え器を削除して、フレームディレイ機能を映像送出装置１に既に設けられているフレームバッファ１３によって代用するようにしている。また、切り替え器２５もＨＤ映像出力部１５によって代用するようにしている。【選択図】      図１
2009071526.tif 000002
【特許請求の範囲】
【請求項１】
フレーム構造となる第１方式の映像信号を入力するための第１の入力部と、
フレーム構造となり前記第１方式とは異なる第２方式の映像信号を入力するための第２の入力部と、
前記第１の入力部で入力される第１方式の映像信号を一時保持するとともに、前記第２の入力部で入力される第２方式の映像信号を一時保持するフレームバッファと、
第１方式の映像信号を出力するための出力部と、
前記第２の入力部から前記フレームバッファへ第２方式の映像信号が入力されるとき、前記フレームバッファから複数フレームの第２方式の映像信号を読み出して第１方式の映像フォーマットに変換して前記出力部に入力し、前記第１の入力部から前記フレームバッファへ第１方式の映像信号が入力されるとき、この入力タイミングから前記フォーマット変換処理に要する遅延時間経過後に前記フレームバッファから第１方式の映像信号を読み出し前記出力部に入力する制御部とを具備したことを特徴とする映像送出装置。
【請求項２】
前記第１の入力部は、前記第２方式の映像信号の入力選択時に、前記第１方式の映像信号の前記フレームバッファへの出力を停止するゲート手段を備え、
前記第２の入力部は、前記第１方式の映像信号が入力選択時に、前記第２方式の映像信号の前記フレームバッファへの出力を停止するゲート手段を備えることを特徴とする請求項１記載の映像送出装置。
【請求項３】
前記第１方式の映像信号は、１１２５ライン方式（ＨＤ（High Definition）フォーマット）の映像信号であり、前記第２方式の映像信号は５２５ライン方式（ＳＤ（Standard Definition）フォーマット）の映像信号であることを特徴とする請求項１記載の映像送出装置。
【発明の詳細な説明】
【技術分野】
【０００１】
この発明は、例えば放送局内で使用され、ＨＤ（High Definition）フォーマットの映像信号及びＳＤ（Standard Definition）フォーマットの映像信号を取り扱う映像送出装置に関する。
【背景技術】
【０００２】
地上波放送システムにおいて、デジタル放送が開始されており、このデジタル放送においては、１１２５ライン方式の高精細テレビジョン放送（以下、ＨＤと称する）と、複数チャンネルのＮＴＳＣ方式（５２５ライン方式）のテレビジョン放送（以下、ＳＤと称する）との混在放送が可能となる。
【０００３】
このＨＤ／ＳＤ混在放送では、ＳＤ入力→ＳＤ出力、ＨＤ入力→ＨＤ出力と、１対１となっており、設備拡張の面でコストがかかる。そこで、設備縮小の面から、ＳＤフォーマットの映像信号をＨＤフォーマットの映像信号に変換して送出する送出装置も提案されている（例えば、特許文献１）。
【特許文献１】特開２００６−２０３８２１公報。
【発明の開示】
【発明が解決しようとする課題】
【０００４】
ところで、上記送出装置では、ＨＤ入力→ＨＤ出力とＳＤ入力→アップコンバート→ＨＤ出力間で１フレームの遅延差が発生し、位相合わせのために外部にフレームディレイが必要となる。
【０００５】
そこで、この発明の目的は、第１方式映像入力→第１方式映像出力と第２方式映像入力→アップコンバート→第１方式映像出力との間の遅延差をなくし、しかもハードウェアの軽減も図り得る映像送出装置を提供することにある。
【課題を解決するための手段】
【０００６】
上記目的を達成するために、この発明に係わる映像送出装置は、フレーム構造となる第１方式の映像信号を入力するための第１の入力部と、フレーム構造となり第１方式とは異なる第２方式の映像信号を入力するための第２の入力部と、第１の入力部で入力される第１方式の映像信号を一時保持するとともに、第２の入力部で入力される第２方式の映像信号を一時保持するフレームバッファと、第１方式の映像信号を出力するための出力部と、第２の入力部からフレームバッファへ第２方式の映像信号が入力されるとき、フレームバッファから複数フレームの第２方式の映像信号を読み出して第１方式の映像フォーマットに変換して出力部に入力し、第１の入力部からフレームバッファへ第１方式の映像信号が入力されるとき、この入力タイミングからフォーマット変換処理に要する遅延時間経過後にフレームバッファから第１方式の映像信号を読み出し出力部に入力する制御部とを備えるようにしたものである。
【０００７】
この構成によれば、装置内に第１の入力部を設けて、第１方式の映像信号のフレーム遅延機能は、既に設けられているフレームバッファにより共用するようにしている。従って、別途にフレーム遅延器や切替器を設ける必要がなく、フレーム遅延器が装置内に既に設けられているフレームバッファと共用されるので、比較的小型の構成で第１方式映像入力→第１方式映像出力と第２方式映像入力→アップコンバート→第１方式映像出力間の遅延差をなくすことが可能な映像送出装置を提供できる。
【発明の効果】
【０００８】
以上詳述したようにこの発明によれば、第１方式映像入力→第１方式映像出力と第２方式映像入力→アップコンバート→第１方式映像出力との間の遅延差をなくし、しかもハードウェアの軽減も図り得る映像送出装置を提供することができる。
【発明を実施するための最良の形態】
【０００９】
以下、この発明の実施形態について図面を参照して詳細に説明する。  
図１は、この発明に係る映像送出装置の一実施形態の構成を示すブロック図である。図１において、符号１は映像送出装置で、ＨＤ映像入力部１１と、ＳＤ映像入力部１２と、フレームバッファ１３と、変換部１４と、ＨＤ映像出力部１５とを備えている。
【００１０】
ＨＤ映像入力部１１は、ＨＤフォーマットの映像信号（以下、ＨＤ映像信号と称する）を入力するためのインタフェースである。ＳＤ映像入力部１２は、ＳＤフォーマットの映像信号（以下、ＳＤ映像信号と称する）を入力するためのインタフェースである。
【００１１】
ＨＤ映像入力部１１に入力されたＨＤ映像信号は、フレームバッファ１３に送られ、フレームバッファ１３に格納される。このフレームバッファ１３に格納されたＨＤ映像信号は、変換部１４によりフレームバッファ１３への入力時から１フレーム相当の遅延時間経過後に読み出されて、ＨＤ映像出力部１５に送られる。このＨＤ映像出力部１５は、ＨＤ映像信号を出力するためのインタフェースである。
【００１２】
ＳＤ映像入力部１２に入力されたＳＤ映像信号は、変換部１４に送られ、変換部１４によりフレームバッファ１３に格納される。変換部１４は、フレームバッファ１３に格納されている１フレームのＳＤ映像信号を読み出すと共に、当該フレーム前後のフレームのＳＤ映像信号を読み出して参照し、この参照結果に基づいてＳＤ映像信号をＨＤ映像信号に変換してＨＤ映像出力部１５に出力する。
【００１３】
ところで、本実施形態では、ＨＤ映像入力部１１にゲート部１１１を設け、ＳＤ映像入力部１２にゲート部１２１を設けている。ゲート部１１１は、上位装置（図示せず）からＳＤ映像選択指示信号が送られた場合に、ＨＤ映像信号のフレームバッファ１３への出力を禁止する。
【００１４】
また、ゲート部１２１は、上位装置からＨＤ映像選択指示信号が送られた場合に、ＳＤ映像信号の変換部１４への出力を禁止する。
【００１５】
上記構成において、以下に具体例をあげてその動作を説明する。  
図２に示すように、ＳＤ映像信号をＨＤ映像信号に変換する画像変換装置２０では、その演算において当該画像の前後のフレームの画像を参照する必要があるため、過去のフレームの映像データを保存するフレームバッファ２１が必要で、その演算によって、ＳＤ映像入力部２２−変換部２３−ＨＤ映像出力部２４間に１フレームの遅延が発生する。
【００１６】
そのため、ＨＤ／ＳＤ混在放送システムにおいて、ＨＤ映像入力をそのままＨＤ映像出力する出力と、ＳＤ映像入力をアップコンバートしてＨＤ映像出力する出力との間に１フレームの遅延差を生じるため、フレームディレイ２５を設け、両者の位相を合わせたのち、さらにその後段に切り替え器２６を設けてＨＤ映像出力を一本化する必要があった。
【００１７】
そこで、本実施形態では、以前の画像変換装置２０に相当する映像送出装置１に、ＨＤ映像入力部１１を設け、ＨＤ映像入力時は、アップコンバート演算用に使用するフレームバッファ１３をフレームディレイとして使用し、ＨＤ映像入力→ＨＤ映像出力間に１フレームの遅延を発生させる。これにより、ＨＤ映像入力をそのままＨＤ映像出力する出力と、ＳＤ映像入力をアップコンバートしてＨＤ映像出力する出力との遅延差は無くなる。
【００１８】
従って、従来必要であったフレームディレイ２５は不要となり、かつ映像送出装置１の内部でＨＤ映像出力を一本化することが可能となる。
【００１９】
以上のように上記実施形態では、映像送出装置１にＨＤ映像入力部１１を設け、ＨＤ映像信号のフレームディレイ２５及び切り替え器２５を削除して、フレームディレイ機能を映像送出装置１に既に設けられているフレームバッファ１３によって代用するようにしている。また、切り替え器２５もＨＤ映像出力部１５によって代用するようにしている。
【００２０】
従って、別途にフレームディレイ２５や切り替え器２６を設ける必要がなく、フレームディレイ２５を映像送出装置１に既に備えられているフレームバッファ１３により共用するようにしたことによって、映像送出装置１を比較的簡単かつ小形に構成することができ、しかもＨＤ映像入力→ＨＤ映像出力とＳＤ映像入力→アップコンバート→ＳＤ映像出力との間の遅延差をなくすことができる。
【００２１】
また、上記実施形態では、ＨＤ、ＳＤフォーマット以外の映像信号を扱う場合にも、同様に実施可能である。
【００２２】
尚、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００２３】
【図１】この発明に係る映像送出装置の一実施形態の構成を示すブロック図。
【図２】以前に考えられていた画像変換装置の構成を示すブロック図。
【符号の説明】
【００２４】
１…映像送出装置、１１…ＨＤ映像入力部、１２,２２…ＨＤ映像入力部、１３,２１…フレームバッファ、１４,２３…変換部、１５,２４…ＨＤ映像出力部、２０…画像変換装置、２５…フレームディレイ、２６…切り替え器、１１１，１２１…ゲート部。
【図１】
2009071526.tif 000003
【図２】
2009071526.tif 000004